(57)【要約】【課題】  任意の電子化ファイルの、当該電子化ファイルを分類する際の分類対象とされる分類対象領域に記憶されている全ての電子化ファイル群における位置付けを容易に把握することができるファイル分類表示装置、ファイル分類表示方法及びファイル分類表示プログラムを得る。【解決手段】  ＣＰＵ１２により、ハードディスク１８の予め定められた分類フォルダによる分類対象領域に記憶されている複数の電子化ファイルにおける少なくとも１つを指定するファイル指定情報をキーボード２０やマウス２２を介して入力し、ディスプレイ装置２４によって当該ファイル指定情報により示される電子化ファイルの前記複数の電子化ファイルにおける位置付けを強調して表示する。【選択図】        図１
2006252043.tif 000002
【特許請求の範囲】
【請求項１】
記憶手段の予め定められた分類対象領域に記憶されている複数の電子化ファイルを予め定められた分類条件に従って分類して表示するファイル分類表示装置であって、
前記複数の電子化ファイルにおける少なくとも１つを指定するファイル指定情報を入力するファイル指定入力手段と、
前記ファイル指定入力手段によって入力された前記ファイル指定情報により示される電子化ファイルの前記複数の電子化ファイルにおける位置付けを強調して表示する表示手段と、
を備えたファイル分類表示装置。
【請求項２】
前記分類条件を、階層構造を有するものとし、
前記表示手段は、前記ファイル指定情報により示される電子化ファイルの前記階層構造における位置付けで、かつ前記複数の電子化ファイルにおける位置付けを強調して表示する
請求項１記載のファイル分類表示装置。
【請求項３】
前記表示手段は、前記ファイル指定情報により示される電子化ファイルと当該電子化ファイルが関係する分類対象領域のみを表示することによって前記位置付けを強調して表示する
請求項１又は請求項２記載のファイル分類表示装置。
【請求項４】
前記表示手段は、前記ファイル指定情報により示される電子化ファイルを他の前記複数の電子化ファイルと異なる状態で表示することによって前記位置付けを強調して表示する
請求項１又は請求項２記載のファイル分類表示装置。
【請求項５】
前記表示手段によって表示された分類対象領域における少なくとも１つを指定する領域指定情報を入力する領域指定入力手段と、
前記領域指定入力手段によって入力された前記領域指定情報により示される分類対象領域を前記表示手段による表示対象から削除する削除手段と、
を更に備えた請求項１乃至請求項４の何れか１項記載のファイル分類表示装置。
【請求項６】
記憶手段の予め定められた分類対象領域に記憶されている複数の電子化ファイルを予め定められた分類条件に従って分類して表示手段により表示するファイル分類表示方法であって、
前記複数の電子化ファイルにおける少なくとも１つを指定するファイル指定情報を入力し、
入力した前記ファイル指定情報により示される電子化ファイルの前記複数の電子化ファイルにおける位置付けを強調して表示する、
ファイル分類表示方法。
【請求項７】
記憶手段の予め定められた分類対象領域に記憶されている複数の電子化ファイルを予め定められた分類条件に従って分類して表示手段により表示するファイル分類表示プログラムであって、
前記複数の電子化ファイルにおける少なくとも１つを指定するファイル指定情報を入力するファイル指定入力ステップと、
前記ファイル指定入力ステップによって入力された前記ファイル指定情報により示される電子化ファイルの前記複数の電子化ファイルにおける位置付けを強調して表示する表示ステップと、
をコンピュータに実行させるファイル分類表示プログラム。
【発明の詳細な説明】
【技術分野】
【０００１】
本発明は、ファイル分類表示装置、ファイル分類表示方法及びファイル分類表示プログラムに係り、より詳しくは、記憶手段の予め定められた分類対象領域に記憶されている複数の電子化ファイルを予め定められた分類条件に従って分類して表示するファイル分類表示装置、ファイル分類表示方法及びファイル分類表示プログラムに関する。
【背景技術】
【０００２】
パーソナル・コンピュータ（以下、「ＰＣ」という。）、ワークステーション、ＰＤＡ（Personal Digital Assistant、携帯情報端末）等のコンピュータでは、当該コンピュータによってアクセス可能に構成されたハードディスク装置等の記憶装置に記憶されている文書ファイル、画像ファイル、プログラム・ファイル等の電子化ファイルを一元的に管理するシステムとして、当該電子化ファイルをＦＡＴ（File Allocation Table）とディレクトリ（Directory）により階層構造（ツリー構造）として管理するファイル管理システムが従来から広く用いられている。
【０００３】
ところで、近年、以上のようなファイル管理システム等を用いて、予め指定されたフォルダ等の複数の記憶領域に記憶されている複数の電子化ファイルを、予め指定された分類条件に従って分類して一覧表示するフォルダである所謂分類フォルダが利用可能とされているコンピュータがある。なお、分類フォルダでは、通常、分類対象となる電子化ファイルに対して、当該分類の際のキーとなる属性情報が付与される。
【０００４】
以下、上記分類フォルダについて簡単に説明する。なお、ここでは、上記属性情報が自動的に付与される場合について説明するが、これに限らず、ユーザが能動的に付与する場合もある。また、ここでは、上記属性情報に、対応する電子化ファイルの所有者及び変更月度を示す情報が含まれる場合について説明する。
【０００５】
ユーザは、分類フォルダを作成するにあたり、電子化ファイルの分類対象とするフォルダ及び分類条件（ここでは、上記属性情報の少なくとも１つの種類）を設定する。
【０００６】
次に、ユーザは、作成した分類フォルダを機能させる場合、当該分類フォルダを開く操作を行う。これにより、当該分類フォルダに属する電子化ファイルとして、予め設定した分類対象とするフォルダに属する電子化ファイルで、かつ予め設定した分類条件に合致する電子化ファイルが一覧表示される。なお、上記分類条件が階層的に設定された場合は、これに応じた階層構造を有する状態で電子化ファイルが表示される。
【０００７】
例えば、フォルダＡに属する下位階層のフォルダ及び電子化ファイルが図９（Ａ）に示される状態、すなわち、フォルダＡの直下の階層にフォルダＢ及びフォルダＣの２つのフォルダが設けられると共に、フォルダＢの直下の階層にフォルダＤ及びフォルダＥの２つのフォルダが設けられ、かつフォルダＤに電子化ファイルＫ，Ｌが、フォルダＥに電子化ファイルＭ，Ｎが、フォルダＣに電子化ファイルＯ，Ｐが、各々格納されている状態となっている場合で、各電子化ファイル（ここでは、ドキュメントファイル（文書ファイル））の属性情報が次の表１に示されるものとなっている場合を考える。
【０００８】
【表１】
2006252043.tif 000003
【０００９】
ここで、ユーザにより分類対象とするフォルダとして「フォルダＡ」が設定され、第一階層の分類条件として「所有者」が、第二階層の分類条件として「変更月度」が各々設定された場合において当該分類フォルダが開かれた場合、一例として図９（Ｂ）に示される状態の階層構造を示す表示がなされることになる。
【００１０】
すなわち、まず、第一階層が「所有者」によって分類される。このため、フォルダＡに含まれる全てのドキュメント（ドキュメントＫ〜Ｐ）の「所有者」に対応する属性情報の種類を調べ、その種類分だけフォルダを作成する。なお、この際、作成するフォルダには、フォルダの意味が簡単に分かるように所有者の属性情報と同一の名前が設定される。この場合、「Ｘ」フォルダと、「Ｙ」フォルダの２つのフォルダが作成され、「Ｘ」フォルダではドキュメントＫ，Ｌ，Ｍが、「Ｙ」フォルダではドキュメントＮ，Ｏ，Ｐが各々対象となる。なお、ここでいう「対象となる」とは、実際にフォルダに配置されるのではなく、第二階層における分類の対象となる、という意味である。
【００１１】
次に、第二階層が「変更月度」によって分類される。このため、「Ｘ」フォルダのドキュメントＫ〜Ｍの「変更月度」に対応する属性情報の種類を調べると共に、「Ｙ」フォルダのドキュメントＮ〜Ｐの「変更月度」に対応する属性情報の種類を調べ、各々その種類分だけ対応するフォルダの直下の階層（第二階層）にフォルダを作成する。なお、この際、作成するフォルダに変更月度の属性情報と同一の名前が設定されることは第一階層と同様である。
【００１２】
以上の結果、最終的に、一例として図９（Ｂ）に示される状態の階層構造を示す表示がなされることになる。なお、分類フォルダでは、通常、当該分類フォルダが閉じられると、以上のように作成された階層構造が解除（消去）されるものとされている場合が多く、この場合、分類フォルダは、階層構造を動的に作成していることになる。
【００１３】
一方、以上のような分類フォルダに関連する従来の技術として、特許文献１及び特許文献２には、フォルダを開く操作をトリガーとして、当該フォルダに設定されている分類条件での分類を実行し、動的に階層構造を作成する、という分類フォルダの基本的な枠組みについて開示されている。
【特許文献１】特開平６−３１４２２４号公報
【特許文献２】特開平９−４４３９３号公報
【発明の開示】
【発明が解決しようとする課題】
【００１４】
しかしながら、上記特許文献１及び特許文献２に開示されている技術では、分類フォルダを開いたときに参照できるのは当該分類フォルダに設定されている分類条件に応じた分類結果のみであり、任意の電子化ファイルの、当該電子化ファイルが属される分類フォルダに関係する全ての電子化ファイル群における位置付けを把握することが容易ではない、という問題点があった。
【００１５】
本発明は上記問題点を解決するためになされたものであり、任意の電子化ファイルの、当該電子化ファイルを分類する際の分類対象とされる分類対象領域に記憶されている全ての電子化ファイル群における位置付けを容易に把握することができるファイル分類表示装置、ファイル分類表示方法及びファイル分類表示プログラムを提供することを目的とする。
【課題を解決するための手段】
【００１６】
上記目的を達成するために、請求項１記載のファイル分類表示装置は、記憶手段の予め定められた分類対象領域に記憶されている複数の電子化ファイルを予め定められた分類条件に従って分類して表示するファイル分類表示装置であって、前記複数の電子化ファイルにおける少なくとも１つを指定するファイル指定情報を入力するファイル指定入力手段と、前記ファイル指定入力手段によって入力された前記ファイル指定情報により示される電子化ファイルの前記複数の電子化ファイルにおける位置付けを強調して表示する表示手段と、を備えている。
【００１７】
請求項１に記載のファイル分類表示装置は、記憶手段の予め定められた分類対象領域に記憶されている複数の電子化ファイルを予め定められた分類条件に従って分類して表示するものとして構成されている。なお、上記記憶手段には、スマート・メディア（SmartMedia（登録商標））、フレキシブル・ディスク等の可搬記録媒体やハードディスク等の固定記録媒体、或いはネットワークに接続されたサーバ・コンピュータ等に設けられた外部記憶装置が含まれる。また、上記電子化ファイルには、文書ファイル、画像ファイル、プログラム・ファイル、データ・ファイルが含まれる。
【００１８】
ここで、本発明では、前記複数の電子化ファイルにおける少なくとも１つを指定するファイル指定情報がファイル指定入力手段によって入力され、表示手段により、当該ファイル指定情報によって示される電子化ファイルの前記複数の電子化ファイルにおける位置付けが強調されて表示される。なお、上記ファイル指定入力手段には、キーボード、マウス（ポインティング・デバイス）、タッチパネル、デジタイザ等の入力装置の他、上記ファイル指定情報を外部装置から通信により入力する場合の通信手段が含まれる。また、上記表示手段には、液晶ディスプレイ装置、ＣＲＴディスプレイ装置、プラズマディスプレイ装置、有機ＥＬディスプレイ装置等の各種ディスプレイ装置が含まれる。
【００１９】
このように、請求項１に記載のファイル分類表示装置によれば、記憶手段の予め定められた分類対象領域に記憶されている複数の電子化ファイルにおける少なくとも１つを指定するファイル指定情報を入力し、当該ファイル指定情報により示される電子化ファイルの前記複数の電子化ファイルにおける位置付けを強調して表示しているので、任意の電子化ファイルの、前記分類対象領域に記憶されている全ての電子化ファイル群における位置付けを容易に把握することができる。
【００２０】
なお、本発明は、請求項２に記載の発明のように、前記分類条件を、階層構造を有するものとし、前記表示手段は、前記ファイル指定情報により示される電子化ファイルの前記階層構造における位置付けで、かつ前記複数の電子化ファイルにおける位置付けを強調して表示するものとしてもよい。
【００２１】
また、本発明の前記表示手段は、請求項３に記載の発明のように、前記ファイル指定情報により示される電子化ファイルと当該電子化ファイルが関係する分類対象領域のみを表示することによって前記位置付けを強調して表示するものとしてもよい。
【００２２】
また、本発明の前記表示手段は、請求項４に記載の発明のように、前記ファイル指定情報により示される電子化ファイルを他の前記複数の電子化ファイルと異なる状態で表示することによって前記位置付けを強調して表示するものとしてもよい。
【００２３】
更に、本発明は、請求項５に記載の発明のように、前記表示手段によって表示された分類対象領域における少なくとも１つを指定する領域指定情報を入力する領域指定入力手段と、前記領域指定入力手段によって入力された前記領域指定情報により示される分類対象領域を前記表示手段による表示対象から削除する削除手段と、を更に備えるものとしてもよい。なお、上記領域指定入力手段には、キーボード、マウス、タッチパネル、デジタイザ等の入力装置の他、上記領域指定情報を外部装置から通信により入力する場合の通信手段が含まれる。
【００２４】
一方、上記目的を達成するために、請求項６記載のファイル分類表示方法は、記憶手段の予め定められた分類対象領域に記憶されている複数の電子化ファイルを予め定められた分類条件に従って分類して表示手段により表示するファイル分類表示方法であって、前記複数の電子化ファイルにおける少なくとも１つを指定するファイル指定情報を入力し、入力した前記ファイル指定情報により示される電子化ファイルの前記複数の電子化ファイルにおける位置付けを強調して表示するものである。
【００２５】
従って、請求項６記載のファイル分類表示方法によれば、請求項１記載の発明と同様に作用するので、請求項１記載の発明と同様に、任意の電子化ファイルの、前記分類対象領域に記憶されている全ての電子化ファイル群における位置付けを容易に把握することができる。
【００２６】
一方、上記目的を達成するために、請求項７記載のファイル分類表示プログラムは、記憶手段の予め定められた分類対象領域に記憶されている複数の電子化ファイルを予め定められた分類条件に従って分類して表示手段により表示するファイル分類表示プログラムであって、前記複数の電子化ファイルにおける少なくとも１つを指定するファイル指定情報を入力するファイル指定入力ステップと、前記ファイル指定入力ステップによって入力された前記ファイル指定情報により示される電子化ファイルの前記複数の電子化ファイルにおける位置付けを強調して表示する表示ステップと、をコンピュータに実行させるものである。
【００２７】
従って、請求項７記載のファイル分類表示プログラムによれば、コンピュータに対して請求項１記載の発明と同様に作用させることができるので、請求項１記載の発明と同様に、任意の電子化ファイルの、前記分類対象領域に記憶されている全ての電子化ファイル群における位置付けを容易に把握することができる。
【発明の効果】
【００２８】
本発明によれば、記憶手段の予め定められた分類対象領域に記憶されている複数の電子化ファイルにおける少なくとも１つを指定するファイル指定情報を入力し、当該ファイル指定情報により示される電子化ファイルの前記複数の電子化ファイルにおける位置付けを強調して表示しているので、任意の電子化ファイルの、前記分類対象領域に記憶されている全ての電子化ファイル群における位置付けを容易に把握することができる、という効果が得られる。
【発明を実施するための最良の形態】
【００２９】
以下、図面を参照して本発明の実施の形態について詳細に説明する。まず、図１を参照して、本実施の形態に係るファイル分類表示装置１０の構成を説明する。
【００３０】
同図に示すように、このファイル分類表示装置１０には、ファイル分類表示装置１０全体の動作を司るＣＰＵ（中央処理装置）１２と、ＣＰＵ１２による各種プログラムの実行時のワークエリア等として用いられるＲＡＭ（Random Access Memory）１４と、各種制御プログラムや各種パラメータ等が予め記憶されたＲＯＭ（Read Only Memory）１６と、文書ファイル、画像ファイル、プログラム・ファイル、データ・ファイル等の各種電子化ファイルを記憶するために用いられるハードディスク１８と、が備えられている。
【００３１】
また、ファイル分類表示装置１０には、各種情報を入力する際に用いられるキーボード２０及びマウス（ポインティング・デバイス）２２が備えられると共に、各種情報を表示するためのディスプレイ装置２４が備えられている。
【００３２】
ＣＰＵ１２、ＲＡＭ１４、ＲＯＭ１６、ハードディスク１８、キーボード２０、マウス２２、及びディスプレイ装置２４はシステムバスＢＵＳを介して電気的に接続されており、ＣＰＵ１２は、ＲＡＭ１４、ＲＯＭ１６、及びハードディスク１８に対するアクセス、キーボード２０及びマウス２２を介した各種情報の取得、及びディスプレイ装置２４に対する各種情報の表示、を各々行うことができる。
【００３３】
すなわち、本実施の形態に係るファイル分類表示装置１０は市販されているＰＣにより構成されている。
【００３４】
ところで、ファイル分類表示装置１０は、分類フォルダを作成することが可能とされており、一例として図９（Ｂ）に示される状態の階層構造を示す表示画面をディスプレイ装置２４によって表示させることができる。また、ファイル分類表示装置１０には、ユーザによって指定された電子化ファイルの、当該電子化ファイルが属する分類フォルダに関係する全ての電子化ファイルにおける位置付けを強調して表示するファイル強調表示機能が搭載されている。
【００３５】
次に、図２を参照して、上記ファイル強調表示機能を実行する際のファイル分類表示装置１０の作用を説明する。なお、図２は、この際（一例として、ユーザによってファイル強調表示機能の実行を指示する指示入力が行われた際）、ファイル分類表示装置１０のＣＰＵ１２において実行されるファイル強調表示処理プログラムの処理の流れを示すフローチャートである。
【００３６】
まず、同図のステップ１００では、予め定められた処理対象入力画面をディスプレイ装置２４によって表示させ、次のステップ１０２にて所定情報の入力待ちを行う。
【００３７】
図３には、上記ステップ１００の処理によってディスプレイ装置２４により表示される処理対象入力画面の表示状態の一例が示されている。同図に示すように、本実施の形態に係る処理対象入力画面では、表示対象とするフォルダ（以下、「表示対象フォルダ」という。）と電子化ファイル（以下、「表示対象ファイル」という。）の指定を促すメッセージが表示されると共に、表示対象フォルダ及び表示対象ファイルを指定するためのテキスト枠が表示される。なお、本実施の形態に係る処理対象入力画面では、各テキスト枠に対して、ハードディスク１８に作成されているフォルダ及び電子化ファイルをプルダウン・メニュー形式で階層的に表示させる際にポインティング指定されるボタンが設けられており、これを用いることによって表示対象フォルダ及び表示対象ファイルの指定を容易に行うことができるようにしている。また、本実施の形態に係る処理対象入力画面では、同図に示すように、表示対象フォルダ及び表示対象ファイルの各指定入力用のテキスト枠が各々複数設けられており、表示対象フォルダ及び表示対象ファイルを各々複数指定することができるように構成されている。
【００３８】
このような処理対象入力画面がディスプレイ装置２４により表示されると、ユーザは、強調表示の対象とするフォルダ及び強調表示させたい電子化ファイルを対応するテキスト枠にマウス２２、キーボード２０等による操作によって設定（指定）し、その後に当該画面の最下に表示されている終了ボタンをマウス２２にてポインティング指定する。これに応じて上記ステップ１０２が肯定判定となってステップ１０４に移行する。なお、上記表示対象フォルダとして、通常のフォルダ及び分類フォルダの何れでも指定できることは言うまでもない。
【００３９】
ステップ１０４では、ユーザによって指定された表示対象フォルダの下位階層を検索し、次のステップ１０６にて、表示対象フォルダの下位階層に分類フォルダが存在するか否かを判定して、否定判定となった場合はステップ１０８に移行する。
【００４０】
ステップ１０８では、指定されたフォルダに分類フォルダが存在しない旨をディスプレイ装置２４によって表示させ、その後に本ファイル強調表示処理プログラムを終了する。
【００４１】
一方、上記ステップ１０６において肯定判定となった場合にはステップ１１０に移行し、上記ステップ１０４の処理によって検索された分類フォルダの下位階層を検索し、次のステップ１１２にて、上記分類フォルダの下位階層に表示対象ファイルが存在するか否かを判定して、否定判定となった場合はステップ１１４に移行する。
【００４２】
ステップ１１４では、検索された分類フォルダに表示対象ファイルが存在しない旨をディスプレイ装置２４によって表示させ、その後に本ファイル強調表示処理プログラムを終了する。
【００４３】
一方、上記ステップ１１２において肯定判定となった場合にはステップ１１６に移行し、予め定められた構成とされたマージ画面をディスプレイ装置２４によって表示させ、次のステップ１１８にて所定情報の入力待ちを行う。
【００４４】
図４には、上記ステップ１１６の処理によってディスプレイ装置２４により表示されるマージ画面の表示状態の一例が示されている。なお、同図では、ユーザによって指定された表示対象フォルダの下位階層に分類フォルダＸ，分類フォルダＹ，分類フォルダＺの３つの分類フォルダが含まれると共に、ユーザによって指定された表示対象ファイルがドキュメントＡである場合の表示状態例が示されている。
【００４５】
同図に示すように、本実施の形態に係るマージ画面では、表示対象ファイル（ドキュメントＡ）と当該ファイルが直接属されるフォルダが結合された状態で表示されると共に、当該フォルダから当該フォルダが属される分類フォルダに至るまでのフォルダが階層構造を示す状態に結合された状態で表示される。なお、同図に示す例では、分類フォルダと、ドキュメントＡが直接属されるフォルダとの間にフォルダが存在しない２階層構造とされているため、分類フォルダと、ドキュメントＡが直接属されるフォルダとが直接結合された状態となっている。
【００４６】
なお、図５には、ユーザによって２つの表示対象ファイル（ドキュメントＡ，ドキュメントＢ）が指定された場合のマージ画面の表示状態例が示されている。
【００４７】
図４，図５に示されるようなマージ画面を参照することにより、ユーザは、指定した電子化ファイルの、当該電子化ファイルが属される分類フォルダに関係する全ての電子化ファイル群における位置付けを容易に把握することができる。
【００４８】
一方、本実施の形態に係るファイル強調表示機能では、ディスプレイ装置２４によって表示されたマージ画面において、指定した分類フォルダを当該マージ画面から削除する指示（以下、「削除指示」という。）、表示対象ファイルが属する分類フォルダに関係する全てのフォルダ及び電子化ファイルを表示させる指示（以下、「全表示指示」という。）、及びファイル強調表示処理プログラムを終了させる指示（以下、「終了指示」という。）の各指示を行うことができるものとされている。このため、本実施の形態に係るマージ画面では、一例として図４，図５に示されるように、削除指示を行う際にポインティング指定される削除ボタン２４Ａと、全表示指示を行う際にポインティング指定される全表示ボタン２４Ｂと、終了指示を行う際にポインティング指定される終了ボタン２４Ｃと、が表示される。
【００４９】
従って、図４や図５に示されるようなマージ画面がディスプレイ装置２４によって表示されると、ユーザは、削除ボタン２４Ａ、全表示ボタン２４Ｂ、及び終了ボタン２４Ｃの何れかのボタンをマウス２２にてポインティング指定する。これに応じて上記ステップ１１８が肯定判定となってステップ１２０に移行する。なお、削除ボタン２４Ａを指定する際に、ユーザは、その直前に削除対象とする分類フォルダをマウス２２にてポインティング指定する。
【００５０】
ステップ１２０では、ユーザによって指定されたボタンが終了ボタン２４Ｃであったか否かを判定し、否定判定となった場合はユーザによって終了指示以外の指示（削除指示又は全表示指示）が行われたものと見なしてステップ１２２に移行し、図６に示す指定処理実行処理ルーチン・プログラムを実行する。以下、当該指定処理実行処理ルーチン・プログラムについて、図６を参照しつつ説明する。
【００５１】
同図のステップ２００では、ユーザによって指定されたボタンが削除ボタン２４Ａであったか否かを判定し、肯定判定となった場合はユーザによって削除指示が行われたものと見なしてステップ２０２に移行し、この時点でディスプレイ装置２４によって表示されているマージ画面から、削除ボタン２４Ａを指定する直前にユーザによって指定された分類フォルダに関係する部分を削除するようにマージ画面を再構成し、その後にステップ２０６に移行する。
【００５２】
一方、上記ステップ２００において否定判定となった場合は、ユーザによって全表示指示が行われたものと見なしてステップ２０４に移行し、この時点でディスプレイ装置２４によって表示されているマージ画面を、表示対象フォルダが属する分類フォルダに関係する全てのフォルダ及び電子化ファイルを表示するものに再構成し、その後にステップ２０６に移行する。
【００５３】
ステップ２０６では、上記ステップ２０２又はステップ２０４の処理によって再構成されたマージ画面をディスプレイ装置２４によって表示させ、その後に本指定処理実行処理ルーチン・プログラムを終了する。
【００５４】
図７には、上記ステップ２０６の処理によってディスプレイ装置２４により表示される、上記ステップ２０２の処理により削除指示に応じて再構成されたマージ画面の表示状態の一例が示されている。なお、同図では、図４に示されるマージ画面において、ユーザにより分類フォルダＺを削除することが指示された場合の表示状態例が示されている。
【００５５】
同図に示すように、このマージ画面では、分類フォルダＺと、その下位階層に含まれる全てのフォルダ、電子化ファイルが非表示状態とされる。このようなマージ画面を参照することにより、ユーザは、興味のない分類フォルダが削除された状態で表示対象ファイルの位置付けを参照することが可能となるため、より明確に表示対象ファイルの位置付けを把握することができる。
【００５６】
一方、図８には、上記ステップ２０６の処理によってディスプレイ装置２４により表示される、上記ステップ２０４の処理により全表示指示に応じて再構成されたマージ画面の表示状態の一例が示されている。
【００５７】
同図に示すように、このマージ画面では、表示対象ファイルが属する分類フォルダに関係する全てのフォルダ及び電子化ファイルが階層構造を示す状態で表示されると共に、表示対象ファイルが他の電子化ファイルとは異なる状態（同図に示す例では、異なる色）で表示される。このようなマージ画面を参照することにより、ユーザは、表示対象ファイルの、表示対象ファイルが属する分類フォルダに関係する全てのフォルダ及び電子化ファイルにおける位置付けを容易に把握することができる。特に、当該マージ画面では、表示対象ファイルを他の電子化ファイルとは異なる状態で表示しているので、表示対象ファイルの他の電子化ファイルとの間の位置付けを、より明確に把握することができる。
【００５８】
なお、上記指定処理実行処理ルーチン・プログラムが終了すると、ファイル強調表示処理プログラム（図２参照。）のステップ１１８に戻り、これ以降、ユーザによって終了ボタン２４Ｃがポインティング指定されるまでステップ１１８〜ステップ１２２の処理が繰り返され、終了ボタン２４Ｃが指定された時点（ステップ１２０が肯定判定となった時点）で本ファイル強調表示処理プログラムを終了する。
【００５９】
ファイル強調表示処理プログラムのステップ１００，１０２の処理が本発明のファイル指定入力ステップに、ステップ１１６の処理及び指定処理実行処理ルーチン・プログラムのステップ２０６の処理が本発明の表示ステップに、各々相当する。
【００６０】
以上詳細に説明したように、本実施の形態では、記憶手段（ここでは、ハードディスク１８）の予め定められた分類対象領域（ここでは、分類フォルダによる分類対象領域）に記憶されている複数の電子化ファイルにおける少なくとも１つを指定するファイル指定情報（ここでは、ファイル強調表示処理プログラムのステップ１０２において入力される表示対象ファイルを示す情報）を入力し、当該ファイル指定情報により示される電子化ファイルの前記複数の電子化ファイルにおける位置付けを強調して表示しているので、任意の電子化ファイルの、前記分類対象領域に記憶されている全ての電子化ファイル群における位置付けを容易に把握することができる。
【００６１】
また、本実施の形態では、前記分類条件を、階層構造を有するものとし、表示手段（ここでは、ディスプレイ装置２４）により、前記ファイル指定情報により示される電子化ファイルの前記階層構造における位置付けで、かつ前記複数の電子化ファイルにおける位置付けを強調して表示しているので、分類条件が階層構造を有する場合における、任意の電子化ファイルの、前記階層構造における位置付けで、かつ前記分類対象領域に記憶されている全ての電子化ファイル群における位置付けを容易に把握することができる。
【００６２】
また、本実施の形態では、前記ファイル指定情報により示される電子化ファイルと当該電子化ファイルが関係する分類対象領域のみを表示することによって前記位置付けを強調して表示している（図４参照。）ので、他の電子化ファイルや分類対象領域も表示する場合に比較して、任意の電子化ファイルの、前記分類対象領域に記憶されている全ての電子化ファイル群における位置付けを、より容易に把握することができる。
【００６３】
また、本実施の形態では、前記ファイル指定情報により示される電子化ファイルを他の前記複数の電子化ファイルと異なる状態で表示することによって前記位置付けを強調して表示している（図８参照。）ので、他の電子化ファイルと同一の状態で表示する場合に比較して、任意の電子化ファイルの、前記分類対象領域に記憶されている全ての電子化ファイル群における位置付けを、より容易に把握することができる。
【００６４】
更に、本実施の形態では、前記表示手段によって表示された分類対象領域における少なくとも１つを指定する領域指定情報（ここでは、ファイル強調表示処理プログラムのステップ１１８において入力される削除対象とする分類フォルダを示す情報）を入力し、当該領域指定情報により示される分類対象領域を前記表示手段による表示対象から削除している（図７参照。）ので、興味のない分類フォルダが削除された状態で任意の電子化ファイルの位置付けを参照することが可能となるため、より明確に当該電子化ファイルの位置付けを把握することができる。
【００６５】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【００６６】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【００６７】
例えば、上記実施の形態では、ユーザによって指定されたフォルダに含まれる分類フォルダを検索対象とした場合について説明したが、本発明はこれに限定されるものではなく、例えば、ハードディスク１８に記憶されている全ての分類フォルダを検索対象とする形態とすることもできる。この場合、図３に示される処理対象入力画面において表示対象フォルダを入力するテキスト枠が必要なくなると共に、図２に示されるファイル強調表示処理プログラムのステップ１０４においてハードディスク１８に記憶されている全ての分類フォルダを検索対象とすることになる。
【００６８】
更に、この変形として、ファイル分類表示装置１０にネットワーク接続された外部装置に備えられた記憶装置に記憶されている分類フォルダを検索対象とする形態とすることもできる。これらの場合にも、上記実施の形態と同様の効果を奏することができる。
【００６９】
また、上記実施の形態では、階層構造を有する分類フォルダに本発明を適用した場合について説明したが、本発明はこれに限定されるものではなく、例えば、階層構造を有しない、すなわち自身のフォルダの直下に電子化ファイルが属される分類フォルダに本発明を適用する形態とすることもできる。この場合も、上記実施の形態と同様の効果を奏することができる。
【００７０】
また、上記実施の形態では、表示対象ファイルを他の電子化ファイルと異なる状態で表示する形態例として、表示対象ファイルを他の電子化ファイルとは異なる色で表示する場合について説明したが、本発明はこれに限定されるものではなく、例えば、表示対象ファイルのみを点滅表示する形態、表示対象ファイルを他の電子化ファイルより大きく表示する形態、表示対象ファイルのアイコンを他の電子化ファイルと異なるものとして表示する形態、表示対象ファイルと当該表示対象ファイルが直接属されるフォルダとの間の結合線を他の結合線と異なる状態（異なる色、点滅表示等）で表示する形態等とすることもできる。この場合も、上記実施の形態と同様の効果を奏することができる。
【００７１】
また、上記実施の形態では、表示対象ファイルとして文書ファイル（ドキュメント）を適用した場合について説明したが、本発明はこれに限定されるものではなく、例えば、画像ファイル、プログラム・ファイル、データ・ファイル等の他のあらゆる電子化ファイルを適用することができることは言うまでもない。この場合も、上記実施の形態と同様の効果を奏することができる。
【００７２】
その他、上記実施の形態で示したファイル分類表示装置１０のハードウェア構成（図１参照。）は一例であり、必要に応じて構成要素を追加したり、不要な構成要素を削減したりすることができることは言うまでもない。
【００７３】
また、上記実施の形態で示したファイル強調表示処理プログラム及び指定処理実行処理ルーチン・プログラムの処理の流れ（図２，図６参照。）も一例であり、本発明の主旨を逸脱しない範囲内において適宜変更することができることも言うまでもない。
【００７４】
更に、上記実施の形態で示した処理対象入力画面や各種マージ画面の表示状態（図３〜図５，図７，図８参照。）も一例であり、本発明の主旨を逸脱しない範囲内において適宜変更することができることも言うまでもない。
【図面の簡単な説明】
【００７５】
【図１】実施の形態に係るファイル分類表示装置の構成を示すブロック図である。
【図２】実施の形態に係るファイル強調表示処理プログラムの処理の流れを示すフローチャートである。
【図３】実施の形態に係る処理対象入力画面の表示状態例を示す概略図である。
【図４】実施の形態に係るマージ画面の表示状態例を示す概略図である。
【図５】実施の形態に係るマージ画面の他の表示状態例を示す概略図である。
【図６】実施の形態に係る指定処理実行処理ルーチン・プログラムの処理の流れを示すフローチャートである。
【図７】実施の形態に係るマージ画面の他の表示状態例を示す概略図である。
【図８】実施の形態に係るマージ画面の他の表示状態例を示す概略図である。
【図９】分類フォルダの説明に供する模式図である。
【符号の説明】
【００７６】
１０    ファイル分類表示装置
１２    ＣＰＵ（削除手段）
１８    ハードディスク（記憶手段）
２０    キーボード（ファイル指定入力手段）
２２    マウス（ファイル指定入力手段、領域指定入力手段）
２４    ディスプレイ装置（表示手段）
【図１】
2006252043.tif 000004
【図２】
2006252043.tif 000005
【図３】
2006252043.tif 000006
【図４】
2006252043.tif 000007
【図５】
2006252043.tif 000008
【図６】
2006252043.tif 000009
【図７】
2006252043.tif 000010
【図８】
2006252043.tif 000011
【図９】
2006252043.tif 000012